(57)【要約】【課題】調湿部材の取り付け作業が容易で、しかも、脆性を有する調湿部材にも適用可能な調湿部材の取り付け構造及び調湿部材を取り付けるための取り付け部品を提供する。【解決手段】調湿部材の取り付け構造は、強磁性体製の電気・電子機器収納ボックス１の内壁１２に対して調湿部材２０が取り付けられた調湿部材の取り付け構造であって、一対の狭持板３２ａ、３２ｂと、一対の狭持板３２ａ、３２ｂの先端部同士が相互に近づくように一対の狭持板３２ａ、３２ｂを付勢する付勢部材３３と、一対の狭持板３２ａ、３２ｂのうちの一方の狭持板に固定されている磁石３１とを有する取り付け部品３０を備え、調湿部材２０は、電気・電子機器収納ボックス１の内壁１２に対して磁石３１の磁力により固定されている取り付け部品３０の一対の狭持板３２ａ、３２ｂにより挟持されることにより電気・電子機器収納ボックス１の内壁１２に対して取り付けられている。【選択図】図２
2010080627.tif 000002
【特許請求の範囲】
【請求項１】
強磁性体製の電気・電子機器収納ボックスの内壁に対して調湿部材が取り付けられた調湿部材の取り付け構造であって、
一対の狭持板と、前記一対の狭持板の先端部同士が相互に近づくように前記一対の狭持板を付勢する付勢部材と、前記一対の狭持板のうちの一方の狭持板に固定されている磁石とを有する取り付け部品を備え、
前記調湿部材は、前記電気・電子機器収納ボックスの内壁に対して前記磁石の磁力により固定されている前記取り付け部品の前記一対の狭持板により挟持されることにより前記電気・電子機器収納ボックスの内壁に対して取り付けられている、調湿部材の取り付け構造。
【請求項２】
前記一対の狭持板と前記付勢部材とは、一枚の弾性板によって一体に形成されている、請求項１に記載の調湿部材の取り付け構造。
【請求項３】
前記一対の狭持板のうちの一方の狭持板に前記磁石が固定されており、前記一対の狭持板のうちの他方の狭持板は強磁性体からなり、
前記電気・電子機器収納ボックスの内壁に対して固定されている取り付け部品の前記他方の狭持板に対して磁力により固定されている別の取り付け部品を有し、前記別の取り付け部品の前記一対の狭持板によって別の調湿部材が挟持されていることにより前記別の調湿部材が前記電気・電子機器収納ボックスの内壁に対して取り付けられている、請求項１または２に記載の調湿部材の取り付け構造。
【請求項４】
強磁性体製の電気・電子機器収納ボックスの内壁に対して平面形状が矩形状である板状の調湿部材が取り付けられた調湿部材の取り付け構造であって、
前記調湿部材の角部と実質的に同じ形状を有する挿入穴が形成されている取り付け部品本体と、前記取り付け部品本体に固定されている磁石とを有する取り付け部品を４つ備え、
前記調湿部材は、前記電気・電子機器収納ボックスの内壁に対して前記磁石の磁力により固定されている前記４つの取り付け部品のそれぞれの挿入穴に前記調湿部材の各角部が挿入されることにより前記電気・電子機器収納ボックスの内壁に対して取り付けられている、調湿部材の取り付け構造。
【請求項５】
前記取り付け部品本体は強磁性体からなり、
前記電気・電子機器収納ボックスの内壁に対して固定されている前記４つの取り付け部品のそれぞれに対して磁力により固定されている別の４つの取り付け部品を有し、前記別の４つの取り付け部品のそれぞれの挿入穴に別の調湿部材の角部が挿入されることにより、前記別の調湿部材が前記電気・電子機器収納ボックスの内壁に対して取り付けられている、請求項４に記載の調湿部材の取り付け構造。
【請求項６】
強磁性体製の電気・電子機器収納ボックスの内壁に対して調湿部材が取り付けられた調湿部材の取り付け構造であって、
前記調湿部材が挿入される挿入穴が形成されている取り付け部品本体と、前記取り付け部品本体に固定されている磁石とを有する取り付け部品を備え、
前記調湿部材は、前記電気・電子機器収納ボックスの内壁に対して、前記挿入穴が上側に向かって開口するように前記磁石の磁力により固定されている前記取り付け部品の前記挿入穴に前記調湿部材が挿入されることにより前記電気・電子機器収納ボックスの内壁に対して取り付けられている、調湿部材の取り付け構造。
【請求項７】
前記取り付け部品本体は強磁性体からなり、
前記電気・電子機器収納ボックスの内壁に対して固定されている取り付け部品に対して、前記挿入穴が上側に向かって開口するように磁力により固定されている別の取り付け部品を有し、前記別の取り付け部品の挿入穴に別の調湿部材が挿入されることにより、前記別の調湿部材が前記電気・電子機器収納ボックスの内壁に対して取り付けられている、請求項６に記載の調湿部材の取り付け構造。
【請求項８】
強磁性体製の電気・電子機器収納ボックスの内壁に対して調湿部材が取り付けられた調湿部材の取り付け構造であって、
磁石と、前記磁石を前記調湿部材に対して接着する接着剤層とを有する取り付け部品を備え、
前記調湿部材は、前記調湿部材に接着している磁石の磁力によって前記電気・電子機器収納ボックスの内壁に対して取り付けられている、調湿部材の取り付け構造。
【請求項９】
前記調湿部材は、互いに対向する第１及び第２の主面を有する板状に形成されており、前記取り付け部品は前記調湿部材の第１の主面に設けられており、前記第２の主面には、強磁性体からなる強磁性体部材が貼付されており、
前記取り付け部品によって前記電気・電子機器収納ボックスの内壁に対して取り付けられている調湿部材に貼付されている強磁性体部材に対して、別の調湿部材が貼付されている別の取り付け部品が磁力により固定されていることにより、前記別の調湿部材が前記電気・電子機器収納ボックスの内壁に対して取り付けられている、請求項８に記載の調湿部材の取り付け構造。
【請求項１０】
強磁性体製の電気・電子機器収納ボックスの内壁に対して調湿部材が取り付けられた調湿部材の取り付け構造であって、
貫通孔が形成されている取り付け部品本体と、前記取り付け部品本体に固定されている磁石と、前記貫通孔に挿通されているリング状の紐状部材とを有する取り付け部品を備え、
前記調湿部材は、前記電気・電子機器収納ボックスの内壁に対して前記磁石の磁力により固定されている取り付け部品の前記紐状部材に挿入されることにより取り付けられている、調湿部材の取り付け構造。
【請求項１１】
強磁性体製の電気・電子機器収納ボックスの内壁に対して調湿部材を取り付けるための取り付け部品であって、
前記調湿部材を挟持するための一対の狭持板と、
前記一対の狭持板の先端部同士が相互に近づくように前記一対の狭持板を付勢する付勢部材と、
前記一対の狭持板のうちの一方に固定されており、前記電気・電子機器収納ボックスの内壁に対して磁力によって固定される磁石とを備える、調湿部材の取り付け部品。
【請求項１２】
強磁性体製の電気・電子機器収納ボックスの内壁に対して平面形状が矩形状である板状の調湿部材を取り付けるための取り付け部品であって、
前記調湿部材の角部と実質的に同じ形状を有する挿入穴が形成されている取り付け部品本体と、
前記取り付け部品本体に固定されており、前記電気・電子機器収納ボックスの内壁に対して磁力によって固定される磁石とを備える、調湿部材の取り付け部品。
【請求項１３】
強磁性体製の電気・電子機器収納ボックスの内壁に対して調湿部材を取り付けるための取り付け部品であって、
前記調湿部材が挿入される挿入穴が形成されている取り付け部品本体と、
前記取り付け部品本体に固定されている磁石とを有し、
前記挿入穴が上側に向かって開口するように前記電気・電子機器収納ボックスの内壁に対して前記磁石の磁力により固定される、調湿部材の取り付け部品。
【請求項１４】
強磁性体製の電気・電子機器収納ボックスの内壁に対して調湿部材を取り付けるための取り付け部品であって、
貫通孔が形成されている取り付け部品本体と、
前記取り付け部品本体に固定されており、前記電気・電子機器収納ボックスの内壁に対して磁力によって固定される磁石と、
前記貫通孔に挿通されており、前記調湿部材が挿入されるリング状の紐状部材とを備える、調湿部材の取り付け部品。
【発明の詳細な説明】
【技術分野】
【０００１】
本発明は、例えば分電盤や操作盤等が収納されている電気・電子機器収納ボックスなどへの調湿部材の取り付け構造及び調湿部材を取り付けるための取り付け部品に関する。
【背景技術】
【０００２】
発電所から供給される高電圧の電力を分電する分電盤が組み込まれているボックス、電力機器を操作するための操作盤が収納されているボックス、通信機器が収納されている小型のボックスや、各種機械制御のための電子部品が収納されているボックス等の各種の電気・電子機器収納ボックスがある。電気機器や電気・電子機器を保護するために、電力が供給されている状態では、ボックス内の温度は比較的高く、かつ相対湿度は比較的低く保たれている。
【０００３】
しかしながら、電力の供給が停止された場合、ボックス内の温度は急激に低下する。そのため、ボックス内の相対湿度が急激に上昇する。その結果、ボックス内の電気機器や電気・電子機器に結露が生じたり、絶縁不良や漏電が生じたりすることがあった。このような問題は、屋外に設置されたボックスにおいて特に生じ易かった。気象庁の観測記録では、１時間で約２０℃、昼夜で約２２℃温度低下した事例がある。屋外に設置されたボックスにおいては、外部環境の変化によってもボックス内の温度が急激に変化し、相対湿度が急激に変化することがあった。従来、このような問題を解決するために、ボックス内に調湿材が設置されている。
【０００４】
調湿材は、例えば相対湿度１００％以下でも水蒸気を吸着することができる材料を用いて構成されている。調湿材は、外部環境の変化に応じて、水蒸気を吸着したり、吸着した水を放出したりする。それによって、周囲の相対湿度の変化を小さくすることができる。
【０００５】
上記のような調湿材の一例として下記の特許文献１には、吸水ポリマーからなる調湿材のボックス内への取付け方法として、シート状の調湿材をボックスの扉に吊り下げる方法が記載されている。
【０００６】
図１５に、特許文献１に開示されている屋外設置用配電ボックスの正面図を示す。図１５に示すように、屋外設置用配電ボックス１００では、扉１０１の内面に３枚の調湿部材１０２が吊り下げられている。具体的には、図１６に示すように、板状の調湿部材１０２の上縁部及び側縁部には、吊り下げ用の穴１０３が形成されており、調湿部材１０２は、この吊り下げ用の穴１０３に挿通された紐状部材により扉１０１の内面に吊り下げられている。
【０００７】
このように、湿度調節部材１０２を屋外設置用配電ボックス１００内に配置することにより、電気・電子機器収納ボックスへの通電が行われていない状態においても、屋外設置用配電ボックス１００内の湿度が高くなることを抑制することができる。
【特許文献１】特開２００３−１３４６１８号公報
【発明の開示】
【発明が解決しようとする課題】
【０００８】
しかしながら、特許文献１のように、調湿部材１０２の吊り下げ用の穴１０３に挿通された紐状部材を用いて調湿部材１０２を取り付ける場合、調湿部材１０２に吊り下げ用の穴１０３を形成する必要があった。このため、調湿部材１０２の取り付け作業が煩雑であるという問題があった。
【０００９】
また、吊り下げ用の穴に挿通された紐状部材を用いて調湿部材１０２を取り付ける方法は、脆性を有し、穴の形成が困難である湿度調節部材を用いる場合には適用できないという問題もあった。
【００１０】
本発明の目的は、調湿部材の取り付け作業が容易で、しかも、脆性を有する調湿部材にも適用可能な調湿部材の取り付け構造及び調湿部材を取り付けるための取り付け部品を提供することにある。
【課題を解決するための手段】
【００１１】
本発明に係る第１の調湿部材の取り付け構造は、強磁性体製の電気・電子機器収納ボックスの内壁に対して調湿部材が取り付けられた調湿部材の取り付け構造であって、一対の狭持板と、一対の狭持板の先端部同士が相互に近づくように一対の狭持板を付勢する付勢部材と、一対の狭持板のうちの一方の狭持板に固定されている磁石とを有する取り付け部品を備え、調湿部材は、電気・電子機器収納ボックスの内壁に対して磁石の磁力により固定されている取り付け部品の一対の狭持板により挟持されることにより電気・電子機器収納ボックスの内壁に対して取り付けられている。
【００１２】
本発明に係る第１の調湿部材の取り付け構造のある特定の局面では、一対の狭持板と付勢部材とは、一枚の弾性板によって一体に形成されている。
【００１３】
本発明に係る第１の調湿部材の取り付け構造の他の特定の局面では、一対の狭持板のうちの一方の狭持板に磁石が固定されており、一対の狭持板のうちの他方の狭持板は強磁性体からなり、電気・電子機器収納ボックスの内壁に対して固定されている取り付け部品の他方の狭持板に対して磁力により固定されている別の取り付け部品を有し、別の取り付け部品の一対の狭持板によって別の調湿部材が挟持されていることにより別の調湿部材が電気・電子機器収納ボックスの内壁に対して取り付けられている。この構成によれば、調湿部材を内壁の法線方向に積層して複数取り付けることができる。従って、限られた面積の内壁に対して多くの調湿部材を取り付けることができる。
【００１４】
本発明に係る第２の調湿部材の取り付け構造は、強磁性体製の電気・電子機器収納ボックスの内壁に対して平面形状が矩形状である板状の調湿部材が取り付けられた調湿部材の取り付け構造であって、調湿部材の角部と実質的に同じ形状を有する挿入穴が形成されている取り付け部品本体と、取り付け部品本体に固定されている磁石とを有する取り付け部品を４つ備え、調湿部材は、電気・電子機器収納ボックスの内壁に対して磁石の磁力により固定されている４つの取り付け部品のそれぞれの挿入穴に調湿部材の各角部が挿入されることにより電気・電子機器収納ボックスの内壁に対して取り付けられている。
【００１５】
本発明に係る第２の調湿部材の取り付け構造のある特定の局面では、取り付け部品本体は強磁性体からなり、電気・電子機器収納ボックスの内壁に対して固定されている４つの取り付け部品のそれぞれに対して磁力により固定されている別の４つの取り付け部品を有し、別の４つの取り付け部品のそれぞれの挿入穴に別の調湿部材の角部が挿入されることにより、別の調湿部材が電気・電子機器収納ボックスの内壁に対して取り付けられている。この構成によれば、調湿部材を内壁の法線方向に積層して複数取り付けることができる。従って、限られた面積の内壁に対して多くの調湿部材を取り付けることができる。
【００１６】
本発明に係る第３の調湿部材の取り付け構造は、強磁性体製の電気・電子機器収納ボックスの内壁に対して調湿部材が取り付けられた調湿部材の取り付け構造であって、調湿部材が挿入される挿入穴が形成されている取り付け部品本体と、取り付け部品本体に固定されている磁石とを有する取り付け部品を備え、調湿部材は、電気・電子機器収納ボックスの内壁に対して、挿入穴が上側に向かって開口するように磁石の磁力により固定されている取り付け部品の挿入穴に調湿部材が挿入されることにより電気・電子機器収納ボックスの内壁に対して取り付けられている。
【００１７】
本発明に係る第３の調湿部材の取り付け構造のある特定の局面では、取り付け部品本体は強磁性体からなり、電気・電子機器収納ボックスの内壁に対して固定されている取り付け部品に対して、挿入穴が上側に向かって開口するように磁力により固定されている別の取り付け部品を有し、別の取り付け部品の挿入穴に別の調湿部材が挿入されることにより、別の調湿部材が電気・電子機器収納ボックスの内壁に対して取り付けられている。この構成によれば、調湿部材を内壁の法線方向に積層して複数取り付けることができる。従って、限られた面積の内壁に対して多くの調湿部材を取り付けることができる。
【００１８】
本発明に係る第４の調湿部材の取り付け構造は、強磁性体製の電気・電子機器収納ボックスの内壁に対して調湿部材が取り付けられた調湿部材の取り付け構造であって、磁石と、磁石を調湿部材に対して接着する接着剤層とを有する取り付け部品を備え、調湿部材は、調湿部材に接着している磁石の磁力によって電気・電子機器収納ボックスの内壁に対して取り付けられている。
【００１９】
本発明に係る第４の調湿部材の取り付け構造のある特定の局面では、調湿部材は、互いに対向する第１及び第２の主面を有する板状に形成されており、取り付け部品は調湿部材の第１の主面に設けられており、第２の主面には、強磁性体からなる強磁性体部材が貼付されており、取り付け部品によって電気・電子機器収納ボックスの内壁に対して取り付けられている調湿部材に貼付されている強磁性体部材に対して、別の調湿部材が貼付されている別の取り付け部品が磁力により固定されていることにより、別の調湿部材が電気・電子機器収納ボックスの内壁に対して取り付けられている。この構成によれば、調湿部材を内壁の法線方向に積層して複数取り付けることができる。従って、限られた面積の内壁に対して多くの調湿部材を取り付けることができる。
【００２０】
本発明に係る第５の調湿部材の取り付け構造は、強磁性体製の電気・電子機器収納ボックスの内壁に対して調湿部材が取り付けられた調湿部材の取り付け構造であって、貫通孔が形成されている取り付け部品本体と、取り付け部品本体に固定されている磁石と、貫通孔に挿通されているリング状の紐状部材とを有する取り付け部品を備え、調湿部材は、電気・電子機器収納ボックスの内壁に対して磁石の磁力により固定されている取り付け部品の紐状部材に挿入されることにより取り付けられている。
【００２１】
本発明に係る第１の調湿部材の取り付け部品は、強磁性体製の電気・電子機器収納ボックスの内壁に対して調湿部材を取り付けるための取り付け部品であって、調湿部材を挟持するための一対の狭持板と、一対の狭持板の先端部同士が相互に近づくように一対の狭持板を付勢する付勢部材と、一対の狭持板のうちの一方に固定されており、電気・電子機器収納ボックスの内壁に対して磁力によって固定される磁石とを備えている。
【００２２】
本発明に係る第２の調湿部材の取り付け部品は、強磁性体製の電気・電子機器収納ボックスの内壁に対して平面形状が矩形状である板状の調湿部材を取り付けるための取り付け部品であって、調湿部材の角部と実質的に同じ形状を有する挿入穴が形成されている取り付け部品本体と、取り付け部品本体に固定されており、電気・電子機器収納ボックスの内壁に対して磁力によって固定される磁石とを備えている。
【００２３】
本発明に係る第３の調湿部材の取り付け部品は、強磁性体製の電気・電子機器収納ボックスの内壁に対して調湿部材を取り付けるための取り付け部品であって、調湿部材が挿入される挿入穴が形成されている取り付け部品本体と、取り付け部品本体に固定されている磁石とを有している。本発明に係る第３の調湿部材の取り付け部品は、挿入穴が上側に向かって開口するように電気・電子機器収納ボックスの内壁に対して磁石の磁力により固定される。
【００２４】
本発明に係る第４の調湿部材の取り付け部品は、強磁性体製の電気・電子機器収納ボックスの内壁に対して調湿部材を取り付けるための取り付け部品であって、貫通孔が形成されている取り付け部品本体と、取り付け部品本体に固定されており、電気・電子機器収納ボックスの内壁に対して磁力によって固定される磁石と、貫通孔に挿通されており、調湿部材が挿入されるリング状の紐状部材とを備えている。
【発明の効果】
【００２５】
本発明に係る第１の調湿部材の取り付け構造及び調湿部材の取り付け部品では、磁力により電気・電子機器収納ボックスの内壁に固定される取り付け部品によって調湿部材が挟持されることにより調湿部材が取り付けられるため、調湿部材の取り付けに際して、調湿部材に取り付け用の孔を開ける必要がなく、容易に調湿部材を取り付けることができる。また、調湿部材に取り付け用の孔を開ける必要がないため、脆性を有する調湿部材にも適用可能である。
【００２６】
本発明に係る第２の調湿部材の取り付け構造及び調湿部材の取り付け部品では、磁力により電気・電子機器収納ボックスの内壁に固定される取り付け部品の挿入穴に板状の調湿部材の角部が挿入されることにより調湿部材が電気・電子機器収納ボックスの内壁に取り付けられるため、調湿部材の取り付けに際して、調湿部材に取り付け用の孔を開ける必要がなく、容易に調湿部材を取り付けることができる。また、調湿部材に取り付け用の孔を開ける必要がないため、脆性を有する調湿部材にも適用可能である。
【００２７】
本発明に係る第３の調湿部材の取り付け構造及び調湿部材の取り付け部品では、挿入穴が上側に向かって開口するように電気・電子機器収納ボックスの内壁に磁力により固定される取り付け部品の挿入穴に調湿部材が挿入されることにより調湿部材が電気・電子機器収納ボックスの内壁に取り付けられるため、調湿部材の取り付けに際して、調湿部材に取り付け用の孔を開ける必要がなく、容易に調湿部材を取り付けることができる。また、調湿部材に取り付け用の孔を開ける必要がないため、脆性を有する調湿部材にも適用可能である。
【００２８】
本発明に係る第４の調湿部材の取り付け構造では、調湿部材に貼付された磁石の磁力により調湿部材が電気・電子機器収納ボックスの内壁に取り付けられるため、調湿部材の取り付けに際して、調湿部材に取り付け用の孔を開ける必要がなく、容易に調湿部材を取り付けることができる。また、調湿部材に取り付け用の孔を開ける必要がないため、脆性を有する調湿部材にも適用可能である。
【００２９】
本発明に係る第５の調湿部材の取り付け構造及び本発明に係る第４の調湿部材の取り付け部品では、電気・電子機器収納ボックスの内壁に磁力により固定されている取り付け部品本体に形成された貫通孔に挿通された紐状部材に調湿部材が挿入されることにより調湿部材が電気・電子機器収納ボックスの内壁に取り付けられるため、調湿部材の取り付けに際して、調湿部材に取り付け用の孔を開ける必要がなく、容易に調湿部材を取り付けることができる。また、調湿部材に取り付け用の孔を開ける必要がないため、脆性を有する調湿部材にも適用可能である。
【発明を実施するための最良の形態】
【００３０】
以下、図面を参照しつつ、本発明の具体的な実施形態を説明することにより、本発明を明らかにする。
【００３１】
（第１の実施形態）
図１は、第１の実施形態に係る電気・電子機器収納ボックスの斜視図である。図１に示す電気・電子機器収納ボックス１は、配電盤や電子制御部品などの種々の電子部品が収納されているボックスであって、用途に応じて、屋内に配置されることもあれば、屋外に配置されることもある。
【００３２】
図１に示すように、電気・電子機器収納ボックス１は、ボックス本体１０ａと、扉１０ｂとを備えている。扉１０ｂは、ヒンジ部材１６によってボックス本体１０ａに対して開閉可能に取り付けられている。
【００３３】
本実施形態では、ボックス本体１０ａと扉１０ｂとは、強磁性体製である。すなわち、ボックス本体１０ａと扉１０ｂとは、鉄やニッケルなどの強磁性体、または強磁性体を含む合金により形成されている。このため、ボックス本体１０ａと扉１０ｂとには、磁石が磁力により付着可能である。
【００３４】
電気・電子機器収納ボックス１の内部には、１または複数の電気・電子機器１３が収納されている。本実施形態では、電気・電子機器１３は、電気・電子機器収納ボックス１の内壁１２に対して固定されている。電気・電子機器１３の種類は特に限定されない。電気・電子機器１３は、例えば、分電盤、操作盤、通信機器等の各種電子部品などであってもよい。
【００３５】
図１に示すように、電気・電子機器収納ボックス１の内壁１２には、複数枚の調湿部材２０が取り付けられている。調湿部材２０は、調湿部材２０が配置された環境における相対湿度に応じて吸放湿する部材である。
【００３６】
調湿部材２０は、例えば、無機多孔体により形成される。調湿部材２０を構成する無機多孔体としては、例えば、非晶質シリカ及び珪酸塩化合物の内の少なくとも一方を主成分として含む無機多孔体が挙げられる。珪酸塩化合物の具体例としては、アロフェン、イモゴライト、バーミキュライト、パリゴルスカイト及び珪藻土等の粘土鉱物などが挙げられる。
【００３７】
調湿部材２０の温度５℃〜５０℃の環境下での相対湿度７５％と相対湿度４０％の平衡含水量の差は、９．５ｍｇ／ｇ〜５５．０ｍｇ／ｇであることが好ましく、１０．０ｍｇ／ｇ〜５０．０ｍｇ／ｇであることがより好ましく、２０．０ｍｇ／ｇ〜４５．０ｍｇ／ｇであることがさらに好ましい。ここで平衡含水量とは、材料の単位重量当たり、所定の相対湿度環境下で吸着できる最大の水蒸気量を意味する。
【００３８】
調湿部材２０の温度５℃〜５０℃の環境下での相対湿度９５％と相対湿度７５％の平衡含水量の差は、１５．０ｍｇ／ｇ〜８５．０ｍｇ／ｇであることが好ましく、３０．０ｍｇ／ｇ〜８５．０ｍｇ／ｇであることがより好ましく、５０．０ｍｇ／ｇ〜８３．０ｍｇ／ｇであることがさらに好ましい。
【００３９】
調湿部材２０の透湿係数は、４５０〜２７００ｎｇ／（ｍ２・ｓ・Ｐａ）であることが好ましく、１０００〜２３００ｎｇ／（ｍ２・ｓ・Ｐａ）であることがより好ましい。なお、透湿係数とは、材料の単位厚み当たりの水蒸気移動速度を示す数値である。透湿係数は、ＪＩＳ  Ａ  １３２４に規定されている測定方法により測定することができる。
【００４０】
電気・電子機器収納ボックス１の内壁１２に取り付けられる調湿部材２０の枚数は、調湿部材２０の吸湿性能、電気・電子機器収納ボックス１の機密性や電気・電子機器１３の水分に対する耐久性、電気・電子機器収納ボックス１の使用環境などに応じて適宜決定される。例えば、電気・電子機器収納ボックス１の機密性が高く、湿度及び温度変化が少ない環境で電気・電子機器収納ボックス１が使用される場合は、調湿部材２０を１枚のみ取り付けてもよい。一方、電気・電子機器収納ボックス１の機密性が低い場合や、湿度及び温度変化が多い環境で電気・電子機器収納ボックス１が使用される場合には、調湿部材２０を他数枚取り付けることが好ましい。本実施形態では、一例として、電気・電子機器収納ボックス１の内壁１２に３枚の調湿部材２０ａ、２０ｂ、２０ｃが取り付けられている例について説明する。
【００４１】
なお、調湿部材２０の平面形状は特に限定されず、例えば、図１に示すように、矩形状であってもよい。また、調湿部材２０の平面形状は、円形状、楕円形状、長円形状などであってもよい。また、調湿部材２０は、板状に形成されていることが好ましいが、調湿部材２０が板状に形成されている必要は必ずしもない。
【００４２】
図２は、電気・電子機器収納ボックス１の一部を表す断面図である。図２に示すように、調湿部材２０は、取り付け部品３０によって電気・電子機器収納ボックス１の内壁１２に取り付けられている。取り付け部品３０は、一対の狭持板３２ａ、３２ｂを備えている。一対の狭持板３２ａ、３２ｂの間には、付勢部材３３が配置されている。一対の狭持板３２ａ、３２ｂは、この付勢部材３３によって、一対の狭持板３２ａ、３２ｂの先端部同士が相互に近づくように付勢されている。なお、付勢部材３３は、具体的には、例えば、圧縮コイルスプリングや板バネなどの弾性体により構成することができる。
【００４３】
一対の狭持板３２ａ、３２ｂのうちの一方の狭持板３２ａには、磁石３１が固定されている。本実施形態では、一対の狭持板３２ａ、３２ｂ間に調湿部材２０が狭持された状態で、磁石３１の磁力により、電気・電子機器収納ボックス１の内壁１２に対して取り付け部品３０が固定されることにより、調湿部材２０が電気・電子機器収納ボックス１の内壁１２に対して取り付けられている。
【００４４】
このため、調湿部材２０の取り付けに際して、調湿部材２０に取り付け用の孔を開ける煩雑な工程を行う必要がない。従って、容易に調湿部材２０を取り付けることができる。また、調湿部材２０に取り付け用の孔を開ける必要がないため、脆性を有する調湿部材２０にも適用可能である。また、調湿部材２０に取り付け用の孔が形成されない分、調湿部材２０の剛性を向上させることができる。
【００４５】
さらに、本実施形態のように、磁石を用いて調湿部材２０を取り付ける場合、容易に調湿部材２０を着脱することができる。従って、調湿部材２０の取り替えなどの電気・電子機器収納ボックス１のメンテナンスを容易に行うことができる。
【００４６】
一対の狭持板３２ａ、３２ｂの材質は特に限定されないが、狭持板３２ｂは、鉄やニッケルなどの強磁性体または強磁性体を含む合金により形成されていることが好ましい。この場合は、磁石が狭持板３２ｂに対して磁力により付着する。このため、図３に示すように、内壁１２に対して固定されている取り付け部品３０ａの狭持板３２ｂに対して、調湿部材２０が狭持された別の取り付け部品３０ｂを、別の取り付け部品３０ｂの磁石３１の磁力により付着させることができる。よって、内壁１２の法線方向に複数の調湿部材２０を積層して取り付けることができる。従って、限られた面積の内壁１２に対して多くの調湿部材２０を取り付けることができる。
【００４７】
尚、狭持板３２ｂを強磁性体または強磁性体を含む合金により形成する替わりに、強磁性体または強磁性体を含む合金により形成された部材を狭持板３２ｂの上に貼付してもよい。この場合であっても、内壁１２の法線方向に複数の調湿部材２０を積層して取り付けることができる。
【００４８】
なお、本実施形態では、一対の狭持板３２ａ、３２ｂと付勢部材３３とがそれぞれ別部材によって構成されている例について説明したが、一対の狭持板３２ａ、３２ｂと付勢部材３３とは、一枚の弾性板によって一体に形成されていてもよい。
【００４９】
以下、本発明を実施した好ましい形態のさらなる例について詳細に説明する。尚、以下の実施形態の説明において、上記実施形態と実質的に共通の機能を有する部材に対して共通の符合を附し、説明を省略する。また、下記の第２〜第４の実施形態において、図１を共通に参照する。
【００５０】
（第２の実施形態）
図４は、第２の実施形態に係る電気・電子機器収納ボックスの一部を表す平面図である。図５は、図４におけるＶ−Ｖ矢視図である。図４に示すように、本実施形態では、平面形状が矩形状である調湿部材２０は、４つ一組の取り付け部品４０によって内壁１２に対して取り付けられる。
【００５１】
図６は、取り付け部品４０の斜視図である。図６に示すように、取り付け部品４０は、取り付け部品本体４１と、磁石４２とを備えている。取り付け部品本体４１は平面形状が直角三角形である板状に形成されている。取り付け部品本体４１には、側面から頂角に向かって延びる挿入穴４１ａが形成されている。挿入穴４１ａの形状は、調湿部材２０の角部の形状と実質的に同じ形状である。詳細には、挿入穴４１ａの平面形状は直角三角形状である。挿入穴４１ａの幅は、調湿部材２０の幅と略同一である。具体的には、挿入穴４１ａの幅は、挿入穴４１ａに調湿部材２０の角部が挿入可能なように調湿部材２０の幅よりも若干だけ大きく設定されている。
【００５２】
磁石４２は、取り付け部品本体４１の底面に固定されている。磁石４２の固定方法は特に限定されない。例えば、接着剤やリベットなどを用いて磁石４２を取り付け部品本体４１に対して固定することができる。
【００５３】
本実施形態では、図４及び図５に示すように、電気・電子機器収納ボックスの内壁１２に対して磁石４２の磁力により固定されている４つの取り付け部品４０の挿入穴４１ａに、平面形状が矩形状である調湿部材２０の各角部が挿入されることによって、調湿部材２０が内壁１２に対して固定されている。
【００５４】
このため、本実施形態においても上記第１の実施形態と同様に、調湿部材２０の取り付けに際して、調湿部材２０に取り付け用の孔を開ける煩雑な工程を行う必要がない。従って、容易に調湿部材２０を取り付けることができる。また、調湿部材２０に取り付け用の孔を開ける必要がないため、脆性を有する調湿部材２０にも適用可能である。また、調湿部材２０に取り付け用の孔が形成されない分、調湿部材２０の剛性を向上させることができる。
【００５５】
さらに、本実施形態のように、磁石を用いて調湿部材２０を取り付ける場合、容易に調湿部材２０を着脱することができる。従って、調湿部材２０の取り替えなどのメンテナンスを容易に行うことができる。
【００５６】
取り付け部品本体４１は、強磁性体または強磁性体を含む合金により形成されていることが好ましい。この場合は、磁石が取り付け部品本体４１に対して磁力により付着する。このため、図７に示すように、内壁１２に対して固定されている４つの取り付け部品４０ａのそれぞれの取り付け部品本体４１に対して、別の取り付け部品４０ｂを磁石４２の磁力により固定することができる。よって、これら４つの別の取り付け部品４０ｂのそれぞれに形成された挿入穴４１ａに調湿部材２０の角部を挿入することにより、内壁１２の法線方向に複数の調湿部材２０を積層して取り付けることができる。従って、限られた面積の内壁１２に対して多くの調湿部材２０を取り付けることができる。
【００５７】
尚、取り付け部品本体４１を強磁性体または強磁性体を含む合金により形成する替わりに、強磁性体または強磁性体を含む合金により形成された部材を取り付け部品本体４１に貼付してもよい。この場合であっても、内壁１２の法線方向に複数の調湿部材２０を積層して取り付けることができる。
【００５８】
（第３の実施形態）
図８は、第３の実施形態に係る電気・電子機器収納ボックスの一部を表す平面図である。図９は、図８におけるＩＸ−ＩＸ矢視図である。図８及び図９に示すように、本実施形態では、調湿部材２０は、取り付け部品５０によって内壁１２に対して取り付けられる。
【００５９】
図９に示すように、取り付け部品５０は、取り付け部品本体５１と、磁石５２とを備えている。取り付け部品本体５１は正面形状が略矩形状である板状に形成されている。取り付け部品本体５１には、側面から下方に向かって延びる挿入穴５１ａが形成されている。挿入穴５１ａは、調湿部材２０の下側端部が挿入可能な形状に形成されている。
【００６０】
磁石５２は、取り付け部品本体５１の底面に固定されている。磁石５２の固定方法は特に限定されない。例えば、接着剤やリベットなどを用いて磁石５２を取り付け部品本体５１に対して固定することができる。
【００６１】
本実施形態では、図８及び図９に示すように、取り付け部品５０は、挿入穴５１ａが上側に向かって開口するように、電気・電子機器収納ボックスの内壁１２に対して磁石５２の磁力によって固定されている。そして、取り付け部品５０の挿入穴５１ａに調湿部材２０が挿入されることにより、調湿部材２０が内壁１２に対して固定されている。
【００６２】
このため、本実施形態においても上記第１及び第２の実施形態と同様に、調湿部材２０の取り付けに際して、調湿部材２０に取り付け用の孔を開ける煩雑な工程を行う必要がない。従って、調湿部材２０を容易に取り付けることができる。また、調湿部材２０に取り付け用の孔を開ける必要がないため、脆性を有する調湿部材２０にも適用可能である。また、調湿部材２０に取り付け用の孔が形成されない分、調湿部材２０の剛性を向上させることができる。
【００６３】
なお、本実施形態では、図９に示すように、内壁１２の法線方向における挿入穴５１ａの幅は、調湿部材２０の厚さよりも大きく設定されている例について説明したが、内壁１２の法線方向における挿入穴５１ａの幅は、調湿部材２０の厚さと実質的に等しく設定されていてもよい。
【００６４】
さらに、本実施形態のように、磁石を用いて調湿部材２０を取り付ける場合、容易に調湿部材２０を着脱することができる。従って、調湿部材２０の取り替えなどのメンテナンスを容易に行うことができる。
【００６５】
取り付け部品本体５１は、強磁性体または強磁性体を含む合金により形成されていることが好ましい。この場合は、磁石が取り付け部品本体５１に対して磁力により付着する。このため、図１０に示すように、内壁１２に対して固定されている取り付け部品５０ａの取り付け部品本体５１に対して、別の取り付け部品５０ｂを磁石５２の磁力により固定することができる。よって、この別の取り付け部品５０ｂに形成された挿入穴５１ａに調湿部材２０を挿入することにより、内壁１２の法線方向に複数の調湿部材２０を積層して取り付けることができる。従って、限られた面積の内壁１２に対して多くの調湿部材２０を取り付けることができる。
【００６６】
尚、取り付け部品本体５１を強磁性体または強磁性体を含む合金により形成する替わりに、強磁性体または強磁性体を含む合金により形成された部材を取り付け部品本体５１に貼付してもよい。この場合であっても、内壁１２の法線方向に複数の調湿部材２０を積層して取り付けることができる。
【００６７】
（第４の実施形態）
図１１は、第４の実施形態に係る電気・電子機器収納ボックスの一部を表す断面図である。図１１に示すように、本実施形態では、調湿部材２０は、取り付け部品６０によって内壁１２に対して取り付けられる。取り付け部品６０は、磁石６１と、接着剤層６２とを備えている。本実施形態では、磁石６１は、第１及び第２の主面６１ａ、６１ｂを有する直方体状に形成されている。磁石６１の第１の主面６１ａは、接着剤層６２によって調湿部材２０の第１の主面２０ｄの上端部に対して取り付けられている。そして、磁石６１の第２の主面６１ｂが、磁石６１の磁力によって、電気・電子機器収納ボックス１の内壁１２に対して取り付けられている。
【００６８】
このため、本実施形態においても上記第１〜第３の実施形態と同様に、調湿部材２０の取り付けに際して、調湿部材２０に取り付け用の孔を開ける煩雑な工程を行う必要がない。従って、容易に調湿部材２０を取り付けることができる。また、調湿部材２０に取り付け用の孔を開ける必要がないため、脆性を有する調湿部材２０にも適用可能である。また、調湿部材２０に取り付け用の孔が形成されない分、調湿部材２０の剛性を向上させることができる。
【００６９】
さらに、本実施形態のように、磁石を用いて調湿部材２０を取り付ける場合、容易に調湿部材２０を着脱することができる。従って、調湿部材２０の取り替えなどのメンテナンスを容易に行うことができる。
【００７０】
図１２に示すように、調湿部材２０の第２の主面２０ｅの上端部には、強磁性体または強磁性体を含む合金により形成されている強磁性体部材６３が貼付されていることが好ましい。この場合は、磁石が強磁性体部材６３に対して磁力により付着する。このため、取り付け部品６０ａを介して内壁１２に取り付けられている強磁性体部材６３に対して、別の取り付け部品６０ｂを磁石６１の磁力により固定することができる。よって、内壁１２の法線方向に複数の調湿部材２０を積層して取り付けることができる。従って、限られた面積の内壁１２に対して多くの調湿部材２０を取り付けることができる。
【００７１】
なお、上記実施形態１〜４では、調湿部材２０が側壁に対して取り付けられている例について説明したが、調湿部材２０の取り付け位置はこれに限定されず、例えば、天井壁や底壁に調湿部材２０を取り付けてもよい。すなわち、本発明において、「内壁」には、側壁、天井壁及び底壁が含まれる。
【００７２】
（第５の実施形態）
図１３は、第５の実施形態に係る電気・電子機器収納ボックスの正面図である。但し、図１３において、扉は描画を省略している。図１４は、図１３に示す矢印ＸＩＶから視た際の第５の実施形態に係る電気・電子機器収納ボックスの一部分を表す断面図である。図１３及び図１４に示すように、本実施形態では、調湿部材２０は、２つの取り付け部品７０によって内壁１２に対して取り付けられている。
【００７３】
図１４に示すように、取り付け部品７０は、取り付け部品本体７１と、磁石７２と、リング状の紐状部材７３とを備えている。取り付け部品本体７１には、貫通孔７１ａが形成されている。紐状部材７３は、この貫通孔７１ａに挿通されている。紐状部材７３の長さは、紐状部材７３が形成している環の内部に調湿部材２０が挿入可能な長さに設定されている。
【００７４】
磁石７２は、取り付け部品本体７１に固定されている。磁石７２の固定方法は特に限定されない。例えば、接着剤やリベットなどを用いて磁石７２を取り付け部品本体７１に対して固定することができる。
【００７５】
本実施形態では、図１３及び図１４に示すように、取り付け部品７０は、電気・電子機器収納ボックスの内壁１２に対して磁石７２の磁力によって固定されている。具体的には、取り付け部品７０は、天井壁に対して固定されている。そして、調湿部材２０は、取り付け部品本体７１に形成された貫通孔７１ａに挿通された環状の紐状部材７３に挿入されることにより電気・電子機器収納ボックスの内壁に対して取り付けられている。
【００７６】
このため、本実施形態においても上記第１〜第４の実施形態と同様に、調湿部材２０の取り付けに際して、調湿部材２０に取り付け用の孔を開ける煩雑な工程を行う必要がない。従って、容易に調湿部材２０を取り付けることができる。また、調湿部材２０に取り付け用の孔を開ける必要がないため、脆性を有する調湿部材２０にも適用可能である。また、調湿部材２０に取り付け用の孔が形成されない分、調湿部材２０の剛性を向上させることができる。
【００７７】
さらに、本実施形態のように、磁石を用いて調湿部材２０を取り付ける場合、容易に調湿部材２０を着脱することができる。従って、調湿部材２０の取り替えなどのメンテナンスを容易に行うことができる。
【図面の簡単な説明】
【００７８】
【図１】第１の実施形態に係る電気・電子機器収納ボックスの斜視図である。
【図２】第１の実施形態に係る電気・電子機器収納ボックスの一部を表す断面図である。
【図３】第１の実施形態の変形例に係る電気・電子機器収納ボックスの一部分を表す断面図である。
【図４】第２の実施形態に係る電気・電子機器収納ボックスの一部を表す平面図である。
【図５】図４におけるＶ−Ｖ矢視図である。
【図６】第２の実施形態における取り付け部品の斜視図である。
【図７】第２の実施形態の変形例に係る電気・電子機器収納ボックスの一部分を表す断面図である。
【図８】第３の実施形態に係る電気・電子機器収納ボックスの一部を表す平面図である。
【図９】図８におけるＩＸ−ＩＸ矢視図である。
【図１０】第３の実施形態の変形例に係る電気・電子機器収納ボックスの一部分を表す断面図である。
【図１１】第４の実施形態に係る電気・電子機器収納ボックスの一部を表す断面図である。
【図１２】第４の実施形態の変形例に係る電気・電子機器収納ボックスの一部分を表す断面図である。
【図１３】第５の実施形態に係る電気・電子機器収納ボックスの正面図である。但し、扉は描画を省略している。
【図１４】図１３に示す矢印ＸＩＶから視た際の第５の実施形態に係る電気・電子機器収納ボックスの一部分を表す断面図である。
【図１５】特許文献１に開示されている屋外設置用配電ボックスの正面図を示す。
【図１６】特許文献１に開示されている屋外設置用配電ボックスにおける調湿部材の平面図である。
【符号の説明】
【００７９】
１…電気・電子機器収納ボックス
１０ａ…ボックス本体
１０ｂ…扉
１２…内壁
１３…電気・電子機器
１６…ヒンジ部材
２０…調湿部材
２０ｄ…第１の主面
２０ｅ…第２の主面
３０，４０，５０，６０，７０…取り付け部品
３１，４２，５２，６１，７２…磁石
３２ａ、３２ｂ…狭持板
３３…付勢部材
４１，５１，７１…取り付け部品本体
４１ａ、５１ａ…挿入穴
６１ａ…第１の主面
６１ｂ…第２の主面
６２…接着剤層
６３…強磁性体部材
７１ａ…貫通孔
７３…紐状部材
【図１】
2010080627.tif 000003
【図２】
2010080627.tif 000004
【図３】
2010080627.tif 000005
【図４】
2010080627.tif 000006
【図５】
2010080627.tif 000007
【図６】
2010080627.tif 000008
【図７】
2010080627.tif 000009
【図８】
2010080627.tif 000010
【図９】
2010080627.tif 000011
【図１０】
2010080627.tif 000012
【図１１】
2010080627.tif 000013
【図１２】
2010080627.tif 000014
【図１３】
2010080627.tif 000015
【図１４】
2010080627.tif 000016
【図１５】
2010080627.tif 000017
【図１６】
2010080627.tif 000018